(57)【要約】【課題】表示装置とシャッター眼鏡間で間欠的に通信してシャッター・レンズの開閉タイミングを制御して、観察者に立体画像を好適に提示する。【解決手段】表示モードが切り替わるタイミングを表示装置１１が事前に知ると、定期的に送信する同期パケットで連続受信を指示する。シャッター眼鏡１３は、事前に連続受信を開始しているので、表示装置１１が表示パネル２１０における表示が３Ｄから２Ｄに切り換わる任意のタイミングで表示モードの切り替えを指示するパケットを送信しても、シャッター眼鏡１３はこれを受信することができ、適切なシャッター開閉制御に切り替えることができる。【選択図】  図６
2012147121.tif 000002
【特許請求の範囲】
【請求項１】
シャッター・レンズと、通信部と、前記シャッター・レンズから観察しようとする画像の表示モードに応じて前記シャッター・レンズの開閉動作を制御する制御部を備えたシャッター眼鏡と、
複数の表示モードを有する表示部と、前記シャッター眼鏡と通信する通信部を備えた表示装置と、
を具備し、
前記表示装置は、前記表示部における表示モードが切り換わることを事前に認識すると、前記シャッター眼鏡に対し受信動作を指示し、前記表示部における表示モードが切り換わった時点で表示モードの切り換えを通知するパケットを前記シャッター眼鏡に送信し、
前記シャッター眼鏡は、前記表示装置からの前記指示に応じて前記通信部で受信処理を行ない、表示モードが切り換わったことを通知するパケットを受信したことに応じて、切り換わった表示モードに対応した前記シャッター・レンズの開閉動作の制御を開始する、
画像表示システム。
【請求項２】
前記シャッター眼鏡は、前記通信部を間欠受信させており、
前記表示装置は、前記表示部における表示モードが切り換わることを事前に認識すると、前記シャッター眼鏡が次に前記通信部を受信動作させる期間を利用して、前記シャッター眼鏡に対し受信動作を指示するパケットを送信し、
前記シャッター眼鏡は、前記の指示するパケットを受信すると、連続受信を開始し、又は、間欠受信する周期を短縮する、
請求項１に記載の画像表示システム。
【請求項３】
前記シャッター眼鏡は、連続受信を開始し又は間欠受信する周期を短縮した後で、前記表示装置から表示モードの切り換えを通知するパケットを受信したとき、又は、所定期間内にパケットを受信できなかったときに、元の周期での間欠受信を再開させる、
請求項２に記載の画像表示システム。
【請求項４】
前記表示装置は、前記表示部における表示モードが切り換わるタイミングを事前に認識すると、前記シャッター眼鏡に対して、前記タイミングに合わせて受信動作を行なうことを指示し、
前記シャッター眼鏡は、前記表示装置からの前記指示を受信したことに応じて、前記タイミングに合わせて前記通信部の受信動作を行なう、
請求項１に記載の画像表示システム。
【請求項５】
前記シャッター眼鏡は、前記通信部を間欠受信させており、
前記表示装置は、前記表示部で立体画像を表示しているときに、前記シャッター眼鏡側で間欠受信する受信期間を利用して、前記立体画像の表示に同期して前記シャッター・レンズの開閉動作させるために必要な情報を含んだ同期パケットを送信するとともに、前記シャッター眼鏡は、前記同期パケットの記載内容に基づいて前記シャッター・レンズの開閉動作を制御し、
前記表示装置は、前記表示部における表示モードが切り換わることを事前に認識すると、前記シャッター眼鏡に対する受信動作の指示を含んだ同期パケットを、前記シャッター眼鏡が次に前記通信部を受信動作させる期間を利用して送信する、
請求項１に記載の画像表示システム。
【請求項６】
前記表示装置は、前記表示部の現在の表示モードに関する情報を同期パケットに記載し、
前記シャッター眼鏡は、受信した同期パケットで示される表示モードに対応した前記シャッター・レンズの開閉動作の制御を開始する、
請求項５に記載の画像表示システム。
【請求項７】
複数の表示モードを有する表示部と、
シャッター眼鏡と通信する通信部と、
を具備し、
前記表示部における表示モードが切り換わることを事前に認識すると、前記シャッター眼鏡に対し受信動作を指示し、
前記表示部における表示モードが切り換わった時点で表示モードの切り換えを通知するパケットを前記シャッター眼鏡に送信する、
表示装置。
【請求項８】
前記シャッター眼鏡は、前記通信部を間欠受信させており、
前記表示部における表示モードが切り換わることを事前に認識すると、前記シャッター眼鏡が次に前記通信部を受信動作させる期間を利用して、前記シャッター眼鏡に対し受信動作を指示するパケットを送信する、
請求項７に記載の表示装置。
【請求項９】
前記シャッター眼鏡は、前記通信部を間欠受信させており、
前記表示部で立体画像を表示しているときに、前記シャッター眼鏡側で間欠受信する受信期間を利用して、前記立体画像の表示に同期して前記シャッター・レンズの開閉動作させるために必要な情報を含んだ同期パケットを送信し、
前記表示部における表示モードが切り換わることを事前に認識すると、前記シャッター眼鏡に対する受信動作の指示を含んだ同期パケットを、前記シャッター眼鏡が次に前記通信部を受信動作させる期間を利用して送信する、
請求項７に記載の表示装置。
【請求項１０】
前記表示部の現在の表示モードに関する情報を同期パケットに記載する、
請求項９に記載の表示装置。
【請求項１１】
シャッター・レンズと、
通信部と、
前記シャッター・レンズから観察する表示装置における表示モードに応じて前記シャッター・レンズの開閉動作を制御する制御部を備えたシャッター眼鏡と、
を具備し、
前記表示装置から表示モードが切り換わることを事前に通知されたことに応じて、前記通信部の受信動作を行ない、前記表示装置から表示モードが切り換わったことを通知するパケットを受信したことに応じて、切り換わった表示モードに対応した前記シャッター・レンズの開閉動作の制御を開始する、
シャッター眼鏡。
【請求項１２】
前記通信部を間欠受信させており、
前記表示装置から表示モードが切り換わることを事前に通知されたことに応じて、前記通信部は、連続受信を開始し、又は、間欠受信する周期を短縮する、
請求項１１に記載のシャッター眼鏡。
【請求項１３】
前記通信部は、連続受信を開始し又は間欠受信する周期を短縮した後、前記表示装置から表示モードが切り換わったことを通知するパケットを受信したとき、又は、所定期間内にパケットを受信できなかったときに、元の周期での間欠受信を再開させる、
請求項１２に記載のシャッター眼鏡。
【請求項１４】
前記通信部を間欠受信させている受信期間で、立体画像を表示している前記表示装置から、前記立体画像の表示に同期して前記シャッター・レンズの開閉動作させるために必要な情報を含んだ同期パケットを受信して、前記制御部は、前記同期パケットの記載内容に基づいて前記シャッター・レンズの開閉動作を制御し、
前記通信部は、表示モードが切り換わることを事前に通知する情報を含んだ同期パケットを受信したことに応じて、連続受信を開始し、又は、間欠受信する周期を短縮する、
請求項１１に記載のシャッター眼鏡。
【請求項１５】
前記同期パケットには、前記表示部の現在の表示モードに関する情報が記載されており、
前記制御部は、受信した同期パケットで示される表示モードに対応した前記シャッター・レンズの開閉動作の制御を開始する、
請求項１４に記載のシャッター眼鏡。
【発明の詳細な説明】
【技術分野】
【０００１】
本発明は、互いに異なる複数の画像を時分割で表示する表示装置と、画像の観察者がかけるシャッター眼鏡の組み合わせからなり、表示装置側の画像の切り換わりに同期してシャッター眼鏡の左右のシャッター・レンズを開閉させて観察者に立体画像を提示する画像表示システム、表示装置、並びにシャッター眼鏡に係り、特に、表示装置とシャッター眼鏡間で間欠的に通信してシャッター・レンズの開閉タイミングを制御する画像表示システム、表示装置、並びにシャッター眼鏡に関する。
【背景技術】
【０００２】
左右の眼に視差のある画像を表示することで、観察者に立体的に見える立体画像を提示することができる。立体画像を提示する方式の１つとして、観察者に特殊な光学特性を持った眼鏡をかけさせ、両眼に視差をつけた画像を提示するものが挙げられる。
【０００３】
例えば、時分割立体画像表示システムは、互いに異なる複数の画像を時分割で表示する表示装置と、画像の観察者がかけるシャッター眼鏡の組み合わせからなる。表示装置は、左眼用画像及び右眼用画像を非常に短い周期で交互に画面表示する。一方、観察者が装着したシャッター眼鏡は、左眼部及び右眼部にそれぞれ液晶レンズなどで構成されるシャッター機構を備えている。シャッター眼鏡は、左眼用画像がディスプレイされる間に、シャッター眼鏡の左眼部が光を透過させ、右眼部が遮光する。また、右眼用画像がディスプレイされる間に、シャッター眼鏡の右眼部が光を透過させ、左眼部が遮光する（例えば、特許文献１〜３を参照のこと）。すなわち、表示装置による左眼用画像及び右眼用画像の時分割表示と、表示装置の表示切り換えに同期してシャッター眼鏡がシャッター機構により画像選択を行なうことで、観察者に立体画像が提示される。
【０００４】
時分割立体画像表示システムでは、左眼用画像及び右眼用画像を時分割で表示する際、クロストークを生じないように左眼用画像及び右眼用画像を分離する必要がある。一般的に、表示装置は、左眼用画像及び右眼用画像の切り換えタイミングを通知し、シャッター眼鏡はこの通知に基づいて画像の切り換えと左右のシャッター・レンズの開閉の同期をとるようにしている（例えば、特許文献４を参照のこと）。
【０００５】
ユーザーが室内の好きな場所で立体画像を視聴することなどを考慮すると、シャッター眼鏡は、コードレス、言い換えればバッテリー駆動であることが好ましい。表示装置とシャッター眼鏡間のコードレス通信に、赤外線通信や、ＩＥＥＥ８０２．１５．４などのワイヤレス・ネットワークを利用することができる。後者のワイヤレス・ネットワークは双方向通信であり、シャッター眼鏡から表示装置へデータ通信を行なうこともできる。例えば、本出願人に既に譲渡されている特願２００９−２７６９４８号明細書には、ワイヤレス・ネットワークを利用した映像表示システムについて開示されている。
【０００６】
ワイヤレス・ネットワークは、赤外線通信と比べると消費電力が高い。このため、シャッター・レンズの開閉の度に表示装置がそのタイミングの通知を行ない、シャッター眼鏡が常時受信待ちすると、バッテリーの負担が過大になる。これに対し、シャッター眼鏡が表示装置から定期的に同期処理用のパケットを受信し、シャッター・レンズの開閉とパケットの受信のタイミングの同期をとる方法が考えられる。この場合、シャッター眼鏡は、常時受信待ちするのではなく、パケットを受信する前後のタイミングでのみ受信処理を行ない、それ以外の期間は受信動作を停止することで、消費電力を低減させることができる。
【０００７】
ところが、シャッター眼鏡が受信動作を停止している期間は、表示装置からパケットを送信しても、シャッター眼鏡が受信できないという問題がある。例えば、表示装置が３Ｄ表示から２Ｄ表示に表示モードを切り換える際には、シャッター眼鏡に表示モードの切り換えを通知して、左右のシャッター・レンズをともに開成状態にする必要がある。シャッター眼鏡が間欠受信していると、ほとんどの時間で、すぐに表示モードの切り換えを通知できなくなる。すなわち、表示装置は、シャッター眼鏡が次に受信動作を行なう期間になるまで待って表示モードの切り換えを通知するしかない。この結果、表示装置側で表示モードが切り換わるまでに、シャッター眼鏡への通知がなされず、シャッター眼鏡の動作は切り換わらないままとなり、シャッター眼鏡をかけた観察者は正常な表示画像を観察できなくなってしまう。
【０００８】
勿論、表示装置側で表示モードが２Ｄ表示から３Ｄ表示に切り換わる場合や、２Ｄ、３Ｄ以外の表示モードに切り換わるときにも、同様の問題が生じる。
【先行技術文献】
【特許文献】
【０００９】
【特許文献１】特開平９−１３８３８４号公報
【特許文献２】特開２０００−３６９６９号公報
【特許文献３】特開２００３−４５３４３号公報
【特許文献４】特開２０１０−２８７９５６号公報
【発明の概要】
【発明が解決しようとする課題】
【００１０】
本発明の目的は、表示装置側の画像の切り換わりに同期してシャッター眼鏡の左右のシャッター・レンズを開閉させて観察者に立体画像を好適に提示することができる、優れた画像表示システム、表示装置、並びにシャッター眼鏡を提供することにある。
【００１１】
本発明のさらなる目的は、表示装置とシャッター眼鏡間で間欠的に通信してシャッター・レンズの開閉タイミングを画像の切り換わりに同期させ、シャッター眼鏡をかけた観察者に立体画像を好適に提示することができる、優れた画像表示システム、表示装置、並びにシャッター眼鏡を提供することにある。
【００１２】
本発明のさらなる目的は、表示装置側で表示モードを切り換える際に、間欠受信するシャッター眼鏡に対して表示モードの切り換えに遅れることなく通知を行ない、シャッター眼鏡をかけた観察者が適切な表示画像を観察することができる、優れた画像表示システム、表示装置、並びにシャッター眼鏡を提供することにある。
【課題を解決するための手段】
【００１３】
本願は、上記課題を参酌してなされたものであり、請求項１に記載の発明は、
シャッター・レンズと、通信部と、前記シャッター・レンズから観察しようとする画像の表示モードに応じて前記シャッター・レンズの開閉動作を制御する制御部を備えたシャッター眼鏡と、
複数の表示モードを有する表示部と、前記シャッター眼鏡と通信する通信部を備えた表示装置と、
を具備し、
前記表示装置は、前記表示部における表示モードが切り換わることを事前に認識すると、前記シャッター眼鏡に対し受信動作を指示し、前記表示部における表示モードが切り換わった時点で表示モードの切り換えを通知するパケットを前記シャッター眼鏡に送信し、
前記シャッター眼鏡は、前記表示装置からの前記指示に応じて前記通信部で受信処理を行ない、表示モードが切り換わったことを通知するパケットを受信したことに応じて、切り換わった表示モードに対応した前記シャッター・レンズの開閉動作の制御を開始する、
画像表示システムである。
【００１４】
但し、ここで言う「システム」とは、複数の装置（又は特定の機能を実現する機能モジュール）が論理的に集合した物のことを言い、各装置や機能モジュールが単一の筐体内にあるか否かは特に問わない。
【００１５】
本願の請求項２に記載の発明によれば、請求項１に記載の画像表示システムにおいて、シャッター眼鏡は、前記通信部を間欠受信させている。そして、表示装置は、前記表示部における表示モードが切り換わることを事前に認識すると、前記シャッター眼鏡が次に前記通信部を受信動作させる期間を利用して、前記シャッター眼鏡に対し受信動作を指示するパケットを送信し、これに対し、シャッター眼鏡は、前記の指示するパケットを受信すると、連続受信を開始し、又は、間欠受信する周期を短縮するように構成されている。
【００１６】
本願の請求項３に記載の発明によれば、請求項２に記載の画像表示システムにおいて、シャッター眼鏡は、連続受信を開始し又は間欠受信する周期を短縮した後で、前記表示装置から表示モードの切り換えを通知するパケットを受信したとき、又は、所定期間内にパケットを受信できなかったときに、元の周期での間欠受信を再開させるように構成されている。
【００１７】
本願の請求項４に記載の発明によれば、請求項１に記載の画像表示システムにおいて、表示装置は、前記表示部における表示モードが切り換わるタイミングを事前に認識すると、前記シャッター眼鏡に対して、前記タイミングに合わせて受信動作を行なうことを指示し、これに対し、シャッター眼鏡は、前記表示装置からの前記指示を受信したことに応じて、前記タイミングに合わせて前記通信部の受信動作を行なうように構成されている。
【００１８】
本願の請求項５に記載の発明によれば、請求項１に記載の画像表示システムにおいて、シャッター眼鏡は、前記通信部を間欠受信させている。そして、表示装置は、前記表示部で立体画像を表示しているときに、前記シャッター眼鏡側で間欠受信する受信期間を利用して、前記立体画像の表示に同期して前記シャッター・レンズの開閉動作させるために必要な情報を含んだ同期パケットを送信し、これに対し、シャッター眼鏡は、前記同期パケットの記載内容に基づいて前記シャッター・レンズの開閉動作を制御するように構成されている。また、表示装置は、前記表示部における表示モードが切り換わることを事前に認識すると、前記シャッター眼鏡に対する受信動作の指示を含んだ同期パケットを、前記シャッター眼鏡が次に前記通信部を受信動作させる期間を利用して送信するように構成されている。
【００１９】
本願の請求項６に記載の発明によれば、請求項５に記載の画像表示システムにおいて、表示装置は、前記表示部の現在の表示モードに関する情報を同期パケットに記載し、これに対し、シャッター眼鏡は、受信した同期パケットで示される表示モードに対応した前記シャッター・レンズの開閉動作の制御を開始するように構成されている。
【００２０】
また、本願の請求項７に記載の発明は、
複数の表示モードを有する表示部と、
シャッター眼鏡と通信する通信部と、
を具備し、
前記表示部における表示モードが切り換わることを事前に認識すると、前記シャッター眼鏡に対し受信動作を指示し、
前記表示部における表示モードが切り換わった時点で表示モードの切り換えを通知するパケットを前記シャッター眼鏡に送信する、
表示装置である。
【００２１】
本願の請求項８に記載の発明によれば、シャッター眼鏡は、前記通信部を間欠受信させている。そして、請求項７に記載の表示装置は、表示部における表示モードが切り換わることを事前に認識すると、前記シャッター眼鏡が次に前記通信部を受信動作させる期間を利用して、前記シャッター眼鏡に対し受信動作を指示するパケットを送信するように構成されている。
【００２２】
本願の請求項９に記載の発明によれば、シャッター眼鏡は、前記通信部を間欠受信させている。そして、請求項７に記載の表示装置は、表示部で立体画像を表示しているときに、前記シャッター眼鏡側で間欠受信する受信期間を利用して、前記立体画像の表示に同期して前記シャッター・レンズの開閉動作させるために必要な情報を含んだ同期パケットを送信する。また、同表示装置は、表示部における表示モードが切り換わることを事前に認識すると、前記シャッター眼鏡に対する受信動作の指示を含んだ同期パケットを、前記シャッター眼鏡が次に前記通信部を受信動作させる期間を利用して送信するように構成されている。
【００２３】
本願の請求項１０に記載の発明によれば、請求項９に記載の表示装置は、表示部の現在の表示モードに関する情報を同期パケットに記載するように構成されている。
【００２４】
また、本願の請求項１１に記載の発明は、
シャッター・レンズと、
通信部と、
前記シャッター・レンズから観察する表示装置における表示モードに応じて前記シャッター・レンズの開閉動作を制御する制御部を備えたシャッター眼鏡と、
を具備し、
前記表示装置から表示モードが切り換わることを事前に通知されたことに応じて、前記通信部の受信動作を行ない、前記表示装置から表示モードが切り換わったことを通知するパケットを受信したことに応じて、切り換わった表示モードに対応した前記シャッター・レンズの開閉動作の制御を開始する、
シャッター眼鏡である。
【００２５】
本願の請求項１２に記載の発明によれば、請求項１１に記載のシャッター眼鏡は、通信部を間欠受信させるが、前記表示装置から表示モードが切り換わることを事前に通知されたことに応じて、前記通信部は、連続受信を開始し、又は、間欠受信する周期を短縮するように構成されている。
【００２６】
本願の請求項１３に記載の発明によれば、請求項１２に記載のシャッター眼鏡の通信部は、連続受信を開始し又は間欠受信する周期を短縮した後、前記表示装置から表示モードが切り換わったことを通知するパケットを受信したとき、又は、所定期間内にパケットを受信できなかったときに、元の周期での間欠受信を再開させる
【００２７】
本願の請求項１４に記載の発明によれば、請求項１１に記載のシャッター眼鏡は、通信部を間欠受信させている受信期間で、立体画像を表示している前記表示装置から、前記立体画像の表示に同期して前記シャッター・レンズの開閉動作させるために必要な情報を含んだ同期パケットを受信して、前記制御部は、前記同期パケットの記載内容に基づいて前記シャッター・レンズの開閉動作を制御する。また、通信部は、表示モードが切り換わることを事前に通知する情報を含んだ同期パケットを受信したことに応じて、連続受信を開始し、又は、間欠受信する周期を短縮するように構成されている。
【００２８】
本願の請求項１５に記載の発明によれば、同期パケットには、前記表示部の現在の表示モードに関する情報が記載されている。そして、請求項１４に記載のシャッター眼鏡の制御部は、受信した同期パケットで示される表示モードに対応した前記シャッター・レンズの開閉動作の制御を開始するように構成されている。
【発明の効果】
【００２９】
本発明によれば、表示装置とシャッター眼鏡間で間欠的に通信してシャッター・レンズの開閉タイミングを制御して、シャッター眼鏡をかけた観察者に立体画像を好適に提示することができる、優れた画像表示システム、表示装置、並びにシャッター眼鏡を提供することができる。
【００３０】
また、本発明によれば、表示装置側で表示モードを切り換える際に、間欠受信するシャッター眼鏡に対して表示モードの切り換えに遅れることなく通知を行ない、シャッター眼鏡をかけた観察者が適切な表示画像を観察することができる、優れた画像表示システム、表示装置、並びにシャッター眼鏡を提供することができる。
【００３１】
本発明のさらに他の目的、特徴や利点は、後述する本発明の実施形態や添付する図面に基づくより詳細な説明によって明らかになるであろう。
【図面の簡単な説明】
【００３２】
【図１】図１は、映像表示システムの構成例を模式的に示した図である。
【図２】図２は、表示装置１１の内部構成例を示した図である。
【図３】図３は、シャッター眼鏡１３の内部構成例を示した図である。
【図４Ａ】図４Ａは、表示装置１１の左眼用画像Ｌの表示期間に同期したシャッター眼鏡１３の制御動作を示した図である。
【図４Ｂ】図４Ｂは、表示装置１１の右眼用画像Ｒの表示期間に同期したシャッター眼鏡１３の制御動作を示した図である。
【図５】図５は、表示装置１１側での表示モードの切り換えにシャッター眼鏡１３の制御が間に合わない場合の動作例を示したタイミング・チャートである。
【図６】図６は、表示装置１１が表示モードの切り換えを事前に認識して、シャッター眼鏡１３に対して連続受信を指示する場合の動作例を示したタイミング・チャートである。
【図７】図７は、表示装置１１が表示モードの切り換えを事前に認識して、シャッター眼鏡１３に対して表示モードの切り換えを指示するタイミングを通知する場合の動作例を示したタイミング・チャートである。
【図８】図８は、表示装置１１が表示モードの切り換えを事前に認識して、シャッター眼鏡１３に対して間欠受信する周期の短縮を指示する場合の動作例を示したタイミング・チャートである。
【図９】図９は、表示装置１１がシャッター眼鏡１３に対して同期パケットを送信するための処理手順を示したフローチャートである。
【図１０】図１０は、表示装置１１がシャッター眼鏡１３に対して表示モードの切り換えを指示するための処理手順を示したフローチャートである。
【図１１Ａ】図１１Ａは、シャッター眼鏡１３が表示装置１１から同期パケットを受信するための処理手順を示したフローチャートである。
【図１１Ｂ】図１１Ｂは、シャッター眼鏡１３が表示装置１１から同期パケットを受信するための処理手順を示したフローチャートである。
【図１１Ｃ】図１１Ｃは、シャッター眼鏡１３が表示装置１１から同期パケットを受信するための処理手順を示したフローチャートである。
【発明を実施するための形態】
【００３３】
以下、図面を参照しながら本発明の実施形態について詳細に説明する。
【００３４】
図１には、映像表示システムの構成例を模式的に示している。映像表示システムは、３次元表示（立体視）対応の表示装置１１と、左眼部及び右眼部にそれぞれシャッター機構を備えたシャッター眼鏡１３の組み合わせからなる。表示装置１１本体に内蔵された通信部１２とシャッター眼鏡１３間で無線信号が送受信される。
【００３５】
表示装置とシャッター眼鏡間の通信に赤外線通信を利用するものも多いが、本実施形態では、ＩＥＥＥ８０２．１５．４などの、電波通信によるワイヤレス・ネットワークを用いる。図１に示したシステム構成例では、表示装置１１とシャッター眼鏡１３が１対１で通信を行なうが、表示装置１１の通信部１２がアクセスポイントとして動作して、それぞれ端末局として動作する複数のシャッター眼鏡を収容することも可能である。ワイヤレス・ネットワークは双方向通信であり、シャッター眼鏡１３から表示装置１１へデータ通信を行なうこともでき、システムが提供できるサービスが拡充することができる。なお、ワイヤレス・ネットワークを利用した映像表示システムは、例えば本出願人に既に譲渡されている特願２００９−２７６９４８号明細書に開示されている。
【００３６】
立体映像表示に用いる表示装置１１は、特定の方式に限定されるものではない。例えば、旧来のＣＲＴ（Ｃａｔｈｏｄ  Ｒａｙ  Ｔｕｂｅ）ディスプレイの他、プラズマ・ディスプレイ・パネル（ＰＤＰ）、液晶ディスプレイ（ＬＣＤ）、エレクトロ・ルミネッセンス（ＥＬ）パネルを用いることができる。このうち液晶ディスプレイは、画素毎にＴＦＴ（Ｔｈｉｎ  Ｆｉｌｅ  Ｔｒａｎｓｉｓｔｏｒ：薄膜トランジスタ）を配置したアクティブ・マトリックス型が一般的である。ＴＦＴ液晶表示ディスプレイは、映像信号を画面上部から下部に向かって走査線毎に書き込むことによって各画素を駆動し、バックライトからの照射光を各画素で遮ったり透過させたりすることによって表示を行なう。
【００３７】
図２には、表示装置１１の内部構成例を示している。以下、各部について説明する。
【００３８】
アンテナ２０４は、受信した放送信号を、チューナー回路２０５に供給する。本実施形態では、アンテナ２０４で受信する放送波は、ＭＰＥＧ２−ＴＳ方式に従うものとする。ＭＰＥＧ２−ＴＳは、放送や通信ネットワークなどデータの伝送誤りが発生する環境に適用されることを想定しており、日本国内のディジタル放送（ディジタル衛星放送、ディジタル地上波放送、ディジタルＣＡＴＶ（ＣａｂｌｅＴｅｌｅｖｉｓｉｏｎ））でも採用されている。ＭＰＥＧ２−ＴＳでは、１８８バイトの固定長のＴＳ（Ｔｒａｎｓｐｏｒｔ Ｓｔｒｅａｍ）パケットが複数個集まって、トランスポート・ストリームが構成される。トランスポート・ストリームには、ＰＳＩ（ＰｒｏｇｒａｍＳｐｅｃｉｆｉｃ Ｉｎｆｏｒｍａｔｉｏｎ）やＳＩ（Ｓｅｒｖｉｃｅ Ｉｎｆｏｒｍａｔｉｏｎ）のセクション形式のテーブルで記述された情報のパケットが含まれている。このうちＰＳＩは、所望の放送のチャンネルを選択して受信するシステムで必要な情報（選局のための制御情報）であり、ＰＡＴ（ＰｒｏｇｒａｍＡｓｓｏｃｉａｔｉｏｎ Ｔａｂｌｅ）、ＰＭＴ（Ｐｒｏｇｒａｍ Ｍａｐ Ｔａｂｌｅ）、ＮＩＴ（Ｎｅｔｗｏｒｋ Ｉｎｆｏｒｍａｔｉｏｎ Ｔａｂｌｅ）、ＣＡＴ（ＣｏｎｄｉｔｉｏｎＡｃｃｅｓｓ Ｔａｂｌｅ）などのセクションがある。ＰＭＴには、対応するプログラムに含まれる映像、音声、付加データ及びＰＣＲ（Ｐｒｏｇｒａｍ  Ｃｌｏｃｋ  Ｒｅｆｅｒｅｎｃｅ）のＰＩＤが記述される。
【００３９】
チューナー回路２０５は、ＣＰＵ２１９からの指示に従い、所定チャネルの放送波のチューニングすなわち選局を行ない、後続のＭＰＥＧ（Ｍｏｖｉｎｇ  ｐｉｃｔｕｒｅ  Ｅｘｐｅｒｔ  Ｇｒｏｕｐ）デコーダー２０６に受信データを出力する。
【００４０】
ＭＰＥＧデコーダー２０６は、まず、ディジタル変調されている受信データを復調して、トランスポート・ストリーム（前述）を得て、このトランスポート・ストリームを解釈して、ＭＰＥＧ２圧縮されたＡＶデータと番組情報に分離して、後者を内部バス２１８経由でＣＰＵ２１９に送信する。続いて、ＭＰＥＧデコーダー２０６は、ＭＰＥＧ２方式で圧縮されたリアルタイムＡＶデータを圧縮映像データと圧縮音声データとに分離する。そして、ＭＰＥＧデコーダー２０６は、映像データに対してはＭＰＥＧ２伸長処理して元の映像信号を再生し、音声データに対してはＰＣＭ（ＰｕｌｓｅＣｏｄｅ Ｍｏｄｕｌａｔｉｏｎ）デコードした後に付加音と合成して再生音声信号とする。
【００４１】
再生映像信号は、映像信号処理回路２０７に入力され、必要な信号処理が施された後、必要に応じてグラフィック生成回路２０８で生成されたオンスクリーン表示情報が重畳され、パネル駆動部２０９によって表示パネル２１０に表示出力される。映像信号処理回路２０７が行なう信号処理には、例えば色度点補正や輝度低減などの画像補正処理（後述）が含まれる。また、再生音声信号は、音声信号処理回路２１１に入力され、必要な信号処理が施された後、音声増幅回路２１２で所望される音声レベルに増幅されて、スピーカー２１３を駆動する。
【００４２】
なお、表示装置１１の放送波以外のＡＶデータの入手経路として、ディジタル・インターフェースであるＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）端子２１４に接続された外部ソース機器（図示しない）や、インターネット経由で立体視コンテンツ配信を受信する場合を挙げることができる。ＨＤＭＩ受信回路２１５は、ＨＤＭＩ端子２１４に接続された外部ソース機器からの入力信号を、映像信号処理回路２０７及び音声信号処理回路２１１に振り分ける。また、ネットワーク端子２１７からの受信信号は、イーサネット（登録商標）インターフェースなどの通信処理回路２１６を介してＭＰＥＧデコーダー２０６に入力される。ＭＰＥＧデコーダー２０６は、受信信号から映像信号と音声信号を抽出する（以下、同様）。
【００４３】
映像信号処理回路２０７は、映像信号を処理すると同時に、シャッター眼鏡１３のシャッター・レンズの開閉制御に必要なフレーム切り換え信号を生成して、制御回路２２４に入力する。制御回路２２４は、入力されたフレーム切り換え信号のタイミングに基づいて、シャッター眼鏡１３側の左右のシャッター・レンズの開閉タイミングを表示画像に同期させるための同期情報を含んだ同期パケットを生成する。同期情報として、例えばクロックを同期させる情報や、表示フレームを計数するカウンターの値などが記述される。この同期パケットは、通信部２０３からシャッター眼鏡１３へ、電波通信により無線伝送される。
【００４４】
ユーザーがリモコン２２３で表示装置１１をリモコン操作して、赤外線送信された制御コードは、リモコン受信部２２２で受信される。図２に示す例では、リモコン操作には赤外線通信方式が用いられるが、上記の通信部２０３をリモコン操作にも兼用してもよい。
【００４５】
表示装置１１全体を制御するために、ＣＰＵ（Ｃｅｎｔｒａｌ  Ｐｒｏｃｅｓｓｉｎｇ  Ｕｎｉｔ）２１９、フラッシュＲＯＭ（Ｒｅａｄ  Ｏｎｌｙ  Ｍｅｍｏｒｙ）２２０、ＤＲＡＭ（Ｄｙｎａｍｉｃ  Ｒａｎｄｏｍ  Ａｃｃｅｓｓ  ｍｅｍｏｒｙ）２１などの回路コンポーネントが装備されている。リモコン受信部２２２（又は、通信部２０３）で受信した制御コードは、内部バス２１８を介してＣＰＵ２１９に転送される。ＣＰＵ２１９は、制御コードを解読して、表示装置１１の動作を制御する。また、ＣＰＵ２１９は、ＭＰＥＧデコーダー２０６から内部バス２１８経由で送られてくる番組情報を解釈する。本実施形態では、ＰＳＩのうちＰＭＴ配下の記述子に、映像信号における表示モードが切り換わるタイミングが記述されているものとする（後述）。ＣＰＵ２１９は、この記述子を解釈して、表示モードの切り換えタイミングを取得すると、内部バス２８１を経由して、制御回路２２４に通知する。制御回路２２４は、表示モードの切り換えタイミングが通知されると、シャッター眼鏡１３にモード切り換えを指示する制御情報を生成し、これを例えば同期パケット（前述）に含めて、通信部２０３からシャッター眼鏡１３へ送信する。
【００４６】
図３には、シャッター眼鏡１３の内部構成例を示している。シャッター眼鏡１３は、表示装置１１と電波通信により無線信号を送受信する通信部３０５と、制御部３０６と、それぞれ液晶素材からなる左眼用シャッター・レンズ３０８及び右眼用シャッター・レンズ３０９と、シャッター駆動回路３０７と、水晶発振子などで構成される自走クロック３１０を備えている。
【００４７】
表示装置１１からシャッター眼鏡１３へ、同期パケットが無線送信される。個の同期パケットには、シャッター眼鏡１３側の左右のシャッター・レンズ３０８、３０９の開閉タイミングに関する情報の他、表示モードの切り換えを指示する制御情報が含まれている。通信部３０５は、同期パケットを受信すると、制御部３０６に入力する。制御部３０６は、同期パケットの記載内容を解釈して、自走クロック３１０のクロック周波数を表示装置１１側と同期させるとともに、シャッター・レンズ３０８、３０９の開閉に用いるカウンターの値を一致させる。そして、次に同期パケットを受信するまでの間は、クロックとカウンターの値に基づいて左右の各シャッター・レンズ３０８、３０９の開閉タイミングを判別して、シャッター駆動回路３０７を介して左右の各シャッター・レンズ３０８、３０９の開閉動作を制御する。
【００４８】
なお、シャッター眼鏡１３は、バッテリー（図示しない）を主電源として駆動するものとする。バッテリーの容量が低下する度に、バッテリーの交換又は充電が必要である。通信部３０５は、信号受信のために電力を浪費しないよう、間欠受信動作するものとする。
【００４９】
図４Ａには、表示装置１１の左眼用画像Ｌの表示期間に同期したシャッター眼鏡１３の制御動作を示している。図示のように、左眼用画像Ｌの表示期間には、表示装置１１側から無線伝送される同期パケットに従って、左眼用シャッター・レンズ３０８を開成状態、右眼用シャッター・レンズ３０９を閉成状態とし、左眼用画像Ｌに基づく表示光ＬＬが鑑賞者の左眼にのみ到達する。また、図４Ｂには、右眼用画像Ｒの表示期間に同期したシャッター眼鏡１３の制御動作を示している。図示のように、右眼用画像Ｒの表示期間には、右眼用シャッター・レンズ３０９を開成状態、左眼用シャッター・レンズ３０８を閉成状態とし、右眼用画像Ｒに基づく表示光ＲＲが鑑賞者の右眼にのみ到達する。
【００５０】
表示装置１１は、３Ｄ表示モードでは、フィールド毎に左眼用画像Ｌと右眼用画像Ｒを交互に表示する。シャッター眼鏡１３側では、左右のシャッター・レンズ３０８、３０９が表示装置１１のフィールド毎の画像切り換えに同期して交互に開閉動作を行なう。鑑賞者には、左眼用画像Ｌと右眼用画像Ｒが合成され、表示装置１１に表示される画像が立体的に認識される。
【００５１】
また、２Ｄ表示モードのときには、表示装置１１は左眼用画像Ｌと右眼用画像Ｒの切り換えを行なわない。そして、シャッター眼鏡１３側では、シャッター・クリアー、すなわち左右のシャッター・レンズ３０８、３０９の双方を開成状態に保つ。
【００５２】
上述したように、表示装置１１とシャッター眼鏡１３間の通信には、ＩＥＥＥ８０２．１５．４などのワイヤレス・ネットワークが利用される。ＩＥＥＥ８０２．１５．４の論理層以上の通信プロトコルに関しては、Ｚｉｇｂｅｅ  Ａｌｌｉａｎｃｅが仕様の策定を行なっている。
【００５３】
ワイヤレス・ネットワークは、赤外線通信と比べると消費電力が高い。シャッター・レンズ３０８、３０９の開閉の度に表示装置１１がそのタイミングの通知を行ない、シャッター眼鏡１３が通信部３０５を常時受信待ちにすると、信号受信のための消費電力が増大し、バッテリーの交換や充電の頻度が増し、煩わしい。
【００５４】
そこで、本実施形態では、表示装置１１からシャッター眼鏡１３へ、シャッター・レンズ３０８、３０９の開閉周期よりも長い間隔で同期パケットを送信し、シャッター眼鏡１３は同期パケットを受信しないほとんどの期間は受信動作を停止して、消費電力を低減するようにしている。同期パケットには、シャッター・レンズの開閉制御の基準となるタイミング、周期、位相、シャッター・レンズの開閉時間に関する情報が含まれている。シャッター眼鏡１３側では、制御部３０６が、同期パケットの記載内容に基づいて自走クロック３１０の同期をとる。そして、次に同期パケットを受信するまでの間は、自走クロック３１０によりシャッター・レンズの開閉を制御する。
【００５５】
ここで、クロストークを防止するなどの理由により、表示装置１１における画像の切り換えタイミングと、シャッター眼鏡１３におけるシャッター・レンズ３０８、３０９の開閉タイミングとの位相のずれは、１００マイクロ秒以下に抑える必要がある。一般的な水晶発振子で可能な精度は３０ｐｐｍであり、１秒間に最大３０マイクロ秒のズレが生じる。このため、同期パケットにより同期をとった後、シャッター眼鏡１３側では自走クロック３１０の同期を約３秒は維持できることになる。表示装置１１から３秒に１回同期パケットを送信すればよいことになる。しかしながら、何らかの原因でパケット受信エラーが発生することも考えられ、また、複数のシャッター眼鏡に同期パケットをブロードキャスト送信するときには受信に失敗しても再送要求できない。これらのことから、同期パケットの送信周期を最大１秒とするのが妥当であると考えられる。シャッター眼鏡１３は、１秒の周期で間欠受信して、同期パケットを受け取るようにすればよいことになる。
【００５６】
また、表示装置１１は幾つかの表示モードを持ち、シャッター眼鏡１３は、表示モードに対応してシャッター・レンズ３０８、３０９の開閉動作を制御しなければならない。左眼用画像及び右眼用画像を時分割で表示する３Ｄ表示モードのとき、シャッター眼鏡１３側では、シャッター・レンズ３０８、３０９の開閉動作は逆位相となる（例えば、図４Ａ、図４Ｂを参照のこと）。また、２Ｄ表示モードのときには、シャッター眼鏡１３側では、シャッター・クリアー、すなわち、シャッター・レンズ３０８、３０９をともに開成状態に保つ。さらに表示装置１１は、画面を眺める方向毎に表示を替えるデュアル・ビュー・モードを持ち、この場合、シャッター眼鏡１３側では、奇数画面でシャッター・レンズ３０８、３０９を同位相にし、又は、偶数画面でシャッター・レンズ３０８、３０９を同位相にしなければならない。
【００５７】
表示装置１１は、表示モードの切り換えを通知する制御情報をシャッター眼鏡１３に送信することで、シャッター眼鏡１３側でのシャッター・レンズ３０８、３０９の開閉を制御する。この制御情報を同期パケットに含めるようにすれば、シャッター眼鏡１３は、同期情報と制御情報の取得のために個別の受信期間を設けずに済み、受信動作を停止できる期間を長くすることができる。
【００５８】
ところが、シャッター眼鏡１３が間欠受信し、ほとんどの時間で受信動作を停止させていると、その間に表示装置１１側で表示モードが切り換わっても、次の受信期間までは制御情報を通知できない。最大１秒の周期で通知できないことになり、シャッター眼鏡１３の制御が間に合わない可能性がある。この場合、シャッター眼鏡１３をかけた観察者は、正常な表示画像を観察できなくなってしまう。
【００５９】
図５には、表示装置１１側での表示モードの切り換えにシャッター眼鏡１３の制御が間に合わない場合の動作例を示している。
【００６０】
表示装置１１のアンテナ２４０並びにチューナー回路２０５で受信する放送波は、映像にＰＭＴなどのＴＳパケットが多重化されたトランスポート・ストリームである（前述）。
【００６１】
図示のように、映像信号は途中で３Ｄから２Ｄへ表示モードが切り換わる。映像信号が３Ｄから２Ｄに表示モードが切り換わる場合として、例えば、３Ｄの放送番組の終了時刻や、３Ｄの放送番組中に２Ｄ表示のＣＭが挿入された時刻などを挙げることができる。また、ＣＭが終了すると、３Ｄ表示モードに戻ることも想定される。ＰＭＴ配下の記述子に、映像信号の表示モードが切り換わるタイミングの情報を記述するよう、ディジタル放送の規格を策定することができる。
【００６２】
表示装置１１では、上記のトランスポート・ストリームを受信すると、ＭＰＥＧデコーダー２０６がこれをＡＶデータと番組情報に分離し、さらにＡＶデータを圧縮映像データと圧縮音声データに分離し、映像データに対してはＭＰＥＧ２伸長処理して元の映像信号を再生する。映像信号が３Ｄから２Ｄに切り換わると、ＭＰＥＧデコーダー２０６で復号処理により発生する遅延時間（ｄｅｃｏｄｅ  ｄｅｌａｙ）だけ後で、表示パネル２１０における表示が３Ｄから２Ｄに切り換わる。
【００６３】
また、シャッター眼鏡１３は、１秒間に数回の間隔で受信期間を設けて間欠受信している。表示装置１１は、この受信期間のタイミングに合わせて、同期パケットを送信している。
【００６４】
表示装置１１は、映像信号において３Ｄから２Ｄに切り換わってから、上記の遅延時間の後に、表示モードの変化を認識することができる。しかしながら、シャッター眼鏡１３は間欠受信をしており、表示装置１１は、次にシャッター眼鏡１３が受信動作するタイミングを待ってからでないと、シャッター眼鏡１３に対して表示モードの切り換えを指示することができない。この指示は、同期パケットに重畳して行なうことができる。
【００６５】
シャッター眼鏡１３は、２Ｄ表示モードへの切り換え指示を受信すると、２Ｄ表示に対応して、シャッター・クリアー状態に移行する。結局のところ、表示装置１１の表示パネル２１０で３Ｄ表示から２Ｄ表示に切り換わった後、シャッター眼鏡１３が次に受信動作するタイミングまでは、シャッター・クリアー状態に移行することはできず、シャッター眼鏡１３のシャッター開閉動作と画面表示が不一致の期間が生じてしまう。この不一致期間では、シャッター眼鏡１３をかけた観察者は正常な表示画像を観察できない。
【００６６】
そこで、本発明者らは、このような不一致期間を生じないようにするために、表示装置１１が表示モードの切り換わるタイミングを事前に認識して、シャッター眼鏡１３に対して連続受信を指示するという方法を提案する。シャッター眼鏡１３は、事前に連続受信を開始しているので、表示装置１１が表示パネル２１０における表示が３Ｄから２Ｄに切り換わる任意のタイミングで表示モードの切り換えを指示するパケットを送信しても、シャッター眼鏡１３はこれを受信することができ、適切なシャッター開閉制御に切り換えることができる。
【００６７】
シャッター眼鏡１３は、同期パケットで連続受信が指示されると、連続受信を開始して、表示装置１１からの信号を受信待ちする。そして、シャッター眼鏡１３は、表示モードの切り換えを指示するパケットを受信すると、直ちにその表示モードに対応したシャッター開閉制御に切り換える。また、シャッター眼鏡１３は、表示モードの切り換えを指示するパケットを受信すると、連続受信を止め、間欠受信する元の状態に戻る。
【００６８】
ここで、表示モードの切り換えを指示するパケットは、定期的に送信する同期パケットと同じ形式であっても、異なる形式であってもよい。あるいは、同期パケットに、表示モードの切り換えを指示するフラグを設定することにより、表示モードの切り換えを通知するようにしてもよい。
【００６９】
なお、エラー処理として、シャッター眼鏡１３は、連続受信をある一定期間だけ継続しても、表示装置１１からパケットが到来しないときには、連続受信を止め、間欠受信する元の状態に戻るようにしてもよい。
【００７０】
また、エラー処理のために、表示装置１１は、定期的に送信する同期パケットの中に、現在の表示モードを示す情報を挿入するようにしてもよい。シャッター眼鏡１３は、同期パケットを受信すると、自分が現在行なっているシャッター開閉制御がパケット中で示されている表示モードと一致するかどうかをチェックする。そして、不一致の場合には、シャッター眼鏡１３は、直ちにその表示モードに対応したシャッター開閉制御に切り換える。シャッター開閉動作の切り換えにタイムラグが生じてしまうが、シャッター眼鏡１３は、間欠受信する周期内で、表示モードの切り換えに追従することが可能となる。
【００７１】
図６には、表示装置１１が表示モードの切り換えを事前に認識して、シャッター眼鏡１３に対して連続受信を指示する場合の動作例を示している。
【００７２】
表示装置１１のアンテナ２４０並びにチューナー回路２０５で受信する放送波は、映像にＰＭＴなどのＴＳパケットが多重化されたトランスポート・ストリームである（前述）。図示のように、映像信号は途中で３Ｄから２Ｄへ表示モードが切り換わる。映像信号が３Ｄから２Ｄに表示モードが切り換わる場合として、例えば、３Ｄの放送番組の終了時刻や、３Ｄの放送番組中に２Ｄ表示のＣＭが挿入された時刻などを挙げることができる。また、ＣＭが終了すると、３Ｄ表示モードに戻ることも想定される（同上）。
【００７３】
ＰＭＴ配下の記述子に、映像信号の表示モードが切り換わるタイミングの情報を記述するよう、ディジタル放送の規格を策定することができる。さらに付言すれば、ＰＭＴ配下の記述子に、映像信号の表示モードが切り換わる所定時間（例えば数秒程度）だけ前に、表示モードが切り換わることを事前に通知する情報（以下、「表示モード変更事前情報」とする）を記述するよう、ディジタル放送の規格を策定することもできる。
【００７４】
表示装置１１では、上記のトランスポート・ストリームを受信すると、ＭＰＥＧデコーダー２０６で映像信号とＰＭＴなどの番組情報に分離される。そして、ＰＭＴ配下の記述子の記載内容がＣＰＵ２１９で解釈され、上記の表示モード変更事前情報を基に、現在時刻から所定時間が経過した後に映像信号が３Ｄ表示モードから２Ｄ表示モードに切り換わることを事前に認識することができる。但し、本発明の要旨は、表示装置１１が映像信号の表示モードの切り換わりを事前に認識する特定の方法に限定されるものではなく、ＰＭＴ配下の記述子を利用する方法は一例に過ぎない。
【００７５】
一方、シャッター眼鏡１３は、１秒間に数回の間隔で受信期間を設けて間欠受信している。表示装置１１は、現在時刻から所定時間が経過した後に映像信号が３Ｄ表示モードから２Ｄ表示モードに切り換わることを事前に認識すると、次にシャッター眼鏡１３が受信動作するタイミングに合わせて、連続受信の指示（若しくは、表示モードの切り換えの事前通知）を含んだ同期パケットを送信する。そして、シャッター眼鏡１３は、同期パケットで連続受信が指示されると（若しくは、表示モードの切り換えが事前に通知されると）、連続受信を開始して、表示装置１１からの信号を受信待ちする。
【００７６】
その後、表示装置１１では、ＭＰＥＧデコーダー２０６が、トランスポート・ストリームから分離したＡＶデータの復号処理を継続して行なっており、映像データに対してはＭＰＥＧ２伸長処理して元の映像信号を再生している。そして、映像信号が３Ｄから２Ｄに切り換わると、ＭＰＥＧデコーダー２０６で復号処理により発生する遅延時間だけ後で、表示パネル２１０における表示が３Ｄから２Ｄに切り換わる。
【００７７】
このとき、シャッター眼鏡１３は、連続受信を行なっている。したがって、表示装置１１は、映像信号において３Ｄから２Ｄに切り換わってから上記の遅延時間の後に表示モードの変化を認識すると、直ちにシャッター眼鏡１３に対して表示モードの切り換えを指示するパケットを送信することが可能となる。表示モードの切り換えを指示するパケットは、定期的に送信する同期パケットと同じ形式であっても、異なる形式であってもよい。あるいは、同期パケットに、表示モードの切り換えを指示するフラグを設定することにより、表示モードの切り換えを通知するようにしてもよい。
【００７８】
シャッター眼鏡１３は、２Ｄ表示モードへの切り換え指示を受信すると、２Ｄ表示に対応して、シャッター・クリアー状態に移行する。すなわち、表示装置１１側で表示パネル２１０における表示が３Ｄから２Ｄに切り換わるとほぼ同時に、シャッター眼鏡１３はシャッター・クリアー状態に移行するので、図５に示した動作例とは相違し、シャッター眼鏡１３のシャッター開閉動作と画面表示が不一致の期間は生じない。したがって、シャッター眼鏡１３をかけた観察者は、表示モードの切り換わりが発生しても、常に正常な表示画像を観察することができる。
【００７９】
シャッター眼鏡１３は、表示モードの切り換えを指示するパケットを受信すると、連続受信を止め、間欠受信する元の状態に戻り、信号受信による消費電力を低減させる。
【００８０】
図９には、図６に示した動作例において、表示装置１１がシャッター眼鏡１３に対して同期パケットを送信するための処理手順をフローチャートの形式で示している。図示の処理手順は、例えばＣＰＵ１１が所定のプログラム・コードを実行するという形態で実現することができる。
【００８１】
表示装置１１は、タイマー割り込みにより、定期的に送信する同期パケットの送信待ち状態（ＷＡＩＴ）に入る（ステップＳ９１）。このタイマー割り込みは、同期パケットを送信するタイミングの直前で発生するものとする。
【００８２】
そして、制御回路２２４において、同期パケットのペイロードの生成処理を行なう（ステップＳ９２）。
【００８３】
次いで、表示モードの切り換えを行なう事前情報があったかどうかをチェックする（ステップ       Ｓ９３）。ＣＰＵ２１９は、ＭＰＥＧデコーダー２０６から渡された番組情報を解釈して、ＰＭＴ配下の記述子に表示モード変更事前情報が記述されているかどうかをチェックすればよい（前述）。
【００８４】
ここで、表示モードの切り換えを行なう事前情報がある場合には（ステップＳ９３のＹｅｓ）、制御回路２２４において、連続受信の指示（若しくは、表示モードの切り換えがあることを事前に通知する情報）を、ステップＳ９２で生成した同期パケットのペイロード内に含める（ステップＳ９４）。また、表示モードの切り換えを行なう事前情報がないときには（ステップＳ９３のＮｏ）、ステップＳ９４の処理をスキップする。
【００８５】
そして、制御回路２２４では、生成したペイロードを、ヘッダー情報を付けるなどして同期パケット化し（ステップＳ９５）、同期パケットを通信部２０３からシャッター眼鏡１３に送信する（ステップＳ９６）。
【００８６】
また、図１０には、図６に示した動作例において、表示装置１１がシャッター眼鏡１３に対して表示モードの切り換えを指示するための処理手順をフローチャートの形式で示している。図示の処理手順は、例えばＣＰＵ１１が所定のプログラム・コードを実行するという形態で実現することができる。
【００８７】
映像信号が３Ｄから２Ｄに切り換わると、表示装置１１側では、ＭＰＥＧデコーダー２０６で復号処理により発生する遅延時間だけ後で、表示モードが切り換わったことを認識するとともに、表示パネル２１０における表示が３Ｄから２Ｄに切り換わる。
【００８８】
これに応答して、制御回路２２４では、表示モードの切り換えを指示するパケットを生成し（ステップＳ１０１）、通信部２０３からこのパケットがシャッター眼鏡１３に送信される（ステップＳ１０２）。
【００８９】
また、図１１Ａ〜図１１Ｃには、図６に示した動作例において、シャッター眼鏡１３が表示装置１１から同期パケットを受信するための処理手順をフローチャートの形式で示している。図示の処理手順は、例えば制御部３０６が所定のプログラム・コードを実行するという形態で実現することができる。
【００９０】
シャッター眼鏡１３は、タイマー割り込みにより、定期的に受信期間を設けて、同期パケットの受信待ち状態（ＷＡＩＴ）に入る（ステップＳ１１０１）。このタイマー割り込みは、同期パケットを受信するタイミングの直前で発生するものとする。
【００９１】
次いで、シャッター眼鏡１３は、受信期間を終了させるためのタイマーをセットして（ステップＳ１１０２）、通信部３０５における受信動作を開始する（ステップＳ１１０３）。そして、ステップＳ１１０２で設定したタイマーがタイムアウトするまでの間は（ステップＳ１１０５のＮｏ）、通信部３０５で受信待ちする。
【００９２】
タイムアウトするまでの間で同期パケットを受信できないときには（ステップＳ１１０４のＮｏ、ステップＳ１１０５のＹｅｓ）、通信部３０５の受信動作を停止して（ステップＳ１１０６）、ステップＳ１１０１に戻り、次の定期受信のタイミングまで待機する。
【００９３】
また、タイムアウトするまでの間で同期パケットを受信できたときには（ステップＳ１１０４のＹｅｓ）、通信部３０５の受信動作を停止した後（ステップＳ１１０７）、同期パケットに記載されている情報に基づいて、表示装置１１との同期処理を行なう（ステップＳ１１０８）。同期処理では、同期パケットの記載内容に基づいて自走クロック３１０の同期をとる。この結果、シャッター・レンズ３０８、３０９を開閉するタイミング、周期、位相が、表示装置１１側の表示パネル２１０で左眼用画像と右眼用画像を切り換えるタイミングに適合するようになる。
【００９４】
次いで、シャッター眼鏡１３は、受信した同期パケットに連続受信の指示が含まれているかどうかをチェックする（ステップＳ１１０９）。
【００９５】
受信した同期パケットに連続受信の指示が含まれていなければ（ステップＳ１１０９のＮｏ（１））、ステップＳ１１０１に戻り、次の定期受信のタイミングまで待機する。
【００９６】
あるいは、受信した同期パケットに連続受信の指示が含まれていなければ（ステップＳ１１０９のＮｏ（２））、この同期パケットに挿入されている現在の表示モードを示す情報を参照して、表示装置１１側で表示モードの変更が発生した起動かをチェックする（ステップＳ１１１０）。そして、表示モードの変更が発生しているときには（ステップＳ１１１０のＹｅｓ）、シャッター眼鏡１３は、これに対応した処理を実施してから（ステップＳ１１１１）、ステップＳ１１０１に戻り、次の定期受信のタイミングまで待機する。例えば、３Ｄ表示モードから２Ｄ表示モードに切り換わったときには、シャッター眼鏡１３は、通常モードからオープン・モードに移行する。
【００９７】
また、受信した同期パケットに連続受信の指示が含まれているときには（ステップＳ１１０９のＹｅｓ）、シャッター眼鏡１３は、表示モードの切り換え指示の受信待ちを終了させるためのタイマーをセットして（ステップＳ１１１２）、通信部３０５における連続受信の動作を開始する（ステップＳ１１１３）。そして、ステップＳ１１０２で設定したタイマーがタイムアウトするまでの間は（ステップＳ１１１５のＮｏ）、通信部３０５で受信待ちする。
【００９８】
タイムアウトするまでの間で表示モードの切り換え指示を受信できないときには（ステップＳ１１１４のＮｏ、ステップＳ１１１５のＹｅｓ）、通信部３０５の連続受信の動作を停止して（ステップＳ１１１７）、ステップＳ１１０１に戻り、次の定期受信のタイミングまで待機する。
【００９９】
また、タイムアウトするまでの間で表示モードの切り換え指示を受信できたときには（ステップＳ１１１４のＹｅｓ）、通信部３０５の連続受信の動作を停止した後（ステップＳ１１１６）、シャッター眼鏡１３は、切り換え後の表示モードに対応した処理を実施する（ステップＳ１１１１）。例えば、３Ｄ表示モードから２Ｄ表示モードに切り換わったときには、シャッター眼鏡１３は、通常モードからオープン・モードに移行する。その後、シャッター眼鏡１３は、ステップＳ１１０１に戻り、次の定期受信のタイミングまで待機する。
【０１００】
図６に示した方法の代替案として、表示モードの切り換えを事前に認識した表示装置１１が、シャッター眼鏡１３に表示モードの切り換えを指示するタイミングを通知する方法が考えられる。図７には、表示装置１１が表示モードの切り換えを事前に認識して、シャッター眼鏡１３に対して表示モードの切り換えを指示するタイミングを通知する場合の動作例を示している。
【０１０１】
表示装置１１は、上記と同様に映像信号が３Ｄ表示モードから２Ｄ表示モードに切り換わることを事前に認識すると、次にシャッター眼鏡１３が受信動作するタイミングに合わせて、シャッター眼鏡１３に対して表示モードが切り換わるタイミングの通知を含んだ同期パケットを送信する。
【０１０２】
これに対し、シャッター眼鏡１３は、同期パケットで表示モードが切り換わるタイミングが通知されると、このタイミングに合わせて受信動作を開始して受信待ちする。
【０１０３】
その後、映像信号が３Ｄから２Ｄに切り換わると、表示装置１１では、ＭＰＥＧデコーダー２０６で復号処理により発生する遅延時間だけ後で、表示パネル２１０における表示が３Ｄから２Ｄに切り換わる。
【０１０４】
シャッター眼鏡１３は表示モードが切り換わるタイミングに合わせて受信動作を行なっている。したがって、表示装置１１は、映像信号において３Ｄから２Ｄに切り換わってから上記の遅延時間の後に表示モードの変化を認識すると、直ちにシャッター眼鏡１３に対して表示モードの切り換えを指示するパケットを送信することが可能である。
【０１０５】
シャッター眼鏡１３は、２Ｄ表示モードへの切り換え指示を受信すると、２Ｄ表示に対応して、シャッター・クリアー状態に移行する。すなわち、表示装置１１側で表示パネル２１０における表示が３Ｄから２Ｄに切り換わるとほぼ同時に、シャッター眼鏡１３はシャッター・クリアー状態に移行するので、図６に示した動作例と同様に、シャッター眼鏡１３のシャッター開閉動作と画面表示が不一致の期間は生じない。したがって、シャッター眼鏡１３をかけた観察者は、表示モードの切り換わりが発生しても、常に正常な表示画像を観察することができる。
【０１０６】
その後、シャッター眼鏡１３は、間欠受信を続け、信号受信による消費電力を低減させる。
【０１０７】
また、図６に示した方法のさらなる代替案として、表示モードの切り換えを事前に認識した表示装置１１が、シャッター眼鏡１３に対して間欠受信する周期の短縮を指示する方法が考えられる。図８には、表示装置１１が表示モードの切り換えを事前に認識して、シャッター眼鏡１３に対して間欠受信する周期の短縮を指示する場合の動作例を示している。
【０１０８】
表示装置１１は、上記と同様に映像信号が３Ｄ表示モードから２Ｄ表示モードに切り換わることを事前に認識すると、次にシャッター眼鏡１３が受信動作するタイミングに合わせて、シャッター眼鏡１３に対して間欠受信する周期の短縮の指示（若しくは、表示モードの切り換えの事前通知）を含んだ同期パケットを送信する。
【０１０９】
これに対し、シャッター眼鏡１３は、同期パケットで間欠受信する周期の短縮が指示されると（若しくは、表示モードの切り換えが事前に通知されると）、周期を短縮して間欠受信を行なう。
【０１１０】
その後、映像信号が３Ｄから２Ｄに切り換わると、表示装置１１では、ＭＰＥＧデコーダー２０６で復号処理により発生する遅延時間だけ後で、表示パネル２１０における表示が３Ｄから２Ｄに切り換わる。
【０１１１】
シャッター眼鏡１３は短い周期で間欠受信しているので、表示装置１１は、表示モードの変化を認識すると、図５に示した動作例よりも短い遅延時間で、シャッター眼鏡１３に対して表示モードの切り換えを指示するパケットを送信することが可能である。
【０１１２】
シャッター眼鏡１３は、２Ｄ表示モードへの切り換え指示を受信すると、２Ｄ表示に対応して、シャッター・クリアー状態に移行する。すなわち、表示装置１１側で表示パネル２１０における表示が３Ｄから２Ｄに切り換わると、比較的短い時間のうちに、シャッター眼鏡１３はシャッター・クリアー状態に移行する。図６、図７に示した動作例とは相違し、シャッター眼鏡１３のシャッター開閉動作と画面表示が不一致の期間が生じてしまうが、図５に示した動作例より短くて済む。
【０１１３】
その後、シャッター眼鏡１３は、間欠受信する周期を元に戻して、信号受信による消費電力を低減させる。
【０１１４】
左右のシャッター・レンズ３０８、３０９を開成状態に保つオープン・モードは、シャッター眼鏡１３の電源を遮断した状態と同じである。映像信号が３Ｄ表示モードから２Ｄ表示モードに切り換わったときに、表示装置１１がシャッター眼鏡１３に対して、オープン・モードではなく電源オフを指示するという変形例も考えられる。しかしながら、２Ｄ表示モードのＣＭが終了して番組本編の放映が再開するなど、その後に３Ｄ表示モードに復帰する場合もあるが、電源をオフにしてしまうと、シャッター眼鏡１３を通常モードに戻すことができなくなってしまう。そこで、ＰＭＴ配下の記述子に、映像信号が２Ｄ表示モードに切り換わるタイミングの情報と併せて、３Ｄ表示モードの終了又は一時的な２Ｄ表示モードのいずれであるかを記述するようにしてもよい。表示装置１１は、映像信号が３Ｄ表示モードから２Ｄ表示モードに切り換わったときに、前者の３Ｄ表示モードの終了であれば、シャッター眼鏡１３に電源オフを指示し、後者の一時的な２Ｄ表示モードであれば、シャッター眼鏡１３にオープン・モードを指示すればよい。
【０１１５】
図５に示したような、シャッター眼鏡１３のシャッター開閉動作と画面表示が不一致の期間が生じてしまうという問題は、図６〜図８に示した動作例のように、映像信号の表示モードが切り換わるタイミングでシャッター眼鏡１３を受信待ち状態にしておき、表示装置１１からの表示モード切り換えの指示を受信できるようにすることで解決することができる。
【０１１６】
表示装置１１は、受信したトランスポート・ストリームに多重されているＰＭＴ配下の記述子を解釈する、あるいはその他の任意の方法により、所定時間（例えば数秒程度）前に映像信号の表示モードが切り換わることを事前に認識して、これを基に、シャッター眼鏡１３に対して受信待ち状態にしておく。そして、実際に映像信号の表示モードが切り換わると、表示装置１１は、シャッター眼鏡１３に対して直ちに表示モードの切り換えを指示することができる。
【０１１７】
シャッター眼鏡１３は、表示装置１１からの事前の指示を受けると、連続受信を開始し、あるいは間欠受信の周期を短縮し、あるいは指定されたタイミングを待って受信動作を開始する。そして、シャッター眼鏡１３は、表示装置１１から受けた表示モード切り換えの指示に対応して、シャッター・レンズ３０８、３０９の動作モードを切り換える。また、シャッター眼鏡１３は、表示装置１１から受けた表示モード切り換えの指示を受け取ると、連続受信や短い周期で間欠受信する動作を停止して、元の周期での間欠受信を再開する。
【０１１８】
図６〜図８に示した動作例において、映像信号の表示モードが切り換わるよりもどれくらい前に、表示装置１１が表示モードの切り換わり認識すべきかは、同期パケットを送出する最大周期を考慮した上で決定すればよい。また、表示装置１１が映像信号の表示モードが切り換わったことを認識してからシャッター眼鏡１３に表示モード切り換えの指示を行なうタイミングは、事前の切り換わり情報の取得タイミングや、機器毎の同期パケット送出周期とその処理時間を考慮した上で決定すればよい。
【０１１９】
なお、図６〜図８では、映像信号が３Ｄ表示から２Ｄ表示モードに切り換わり、これに応答して、シャッター眼鏡１３を、左右のシャッター・レンズ３０８、３０９を交互に開閉させる通常モードから、シャッター・クリアーすなわち左右のシャッター・レンズ３０８、３０９を開成状態に保つオープン・モードに切り換える場合を例にとった。逆に、映像信号が２Ｄ表示から３Ｄ表示モードに切り換わり、これに応答して、シャッター眼鏡１３をオープン・モードから通常モードに戻す場合も同様に、表示モードの切り換えを事前に認識した表示装置１１がシャッター眼鏡１３に連続受信、表示モードの切り換えを指示するタイミング通知、又は、間欠受信の周期短縮の指示を行なうようにしてもよい。さらに付言すれば、デュアル・モードへの切り換えやデュアル・モードからの復帰のときにも、図６〜図８で説明した動作を同様に適用することができる。
【産業上の利用可能性】
【０１２０】
以上、特定の実施形態を参照しながら、本発明について詳細に説明してきた。しかしながら、本発明の要旨を逸脱しない範囲で当業者が該実施形態の修正や代用を成し得ることは自明である。
【０１２１】
本明細書では、複数の互いに異なる画像を時分割で表示する表示装置として液晶ディスプレイを用いた実施形態を中心に説明してきたが、本発明の要旨はこれに限定されるものではない。例えば、旧来のＣＲＴ（Ｃａｔｈｏｄ  Ｒａｙ  Ｔｕｂｅ）ディスプレイの他、プラズマ・ディスプレイ・パネル（ＰＤＰ）、エレクトロ・ルミネッセンス（ＥＬ）パネルを用いることができる。
【０１２２】
また、本明細書では、シャッター眼鏡と表示装置とを接続する通信手段として、例えばＩＥＥＥ８０２．１５．４などのワイヤレス・ネットワークを適用した実施形態を中心に説明してきたが、本発明の要旨はこれに限定されるものではない。シャッター眼鏡と表示装置間で双方向の通信が可能であれば、その他の無線通信技術あるいは有線通信技術を適用することも可能である。
【０１２３】
本明細書で説明した実施形態における一連の処理は、ハードウェア、ソフトウェアのいずれにより行なうこともできる。当該処理をソフトウェアによって実現する場合には、ソフトウェアにおける処理手順をコンピューター可読形式に記述したコンピューター・プログラムを所定のコンピューターにインストールして実行すればよい。また、このコンピューター・プログラムは、液晶ディスプレイなどの製品に組み込んでおくこともできる。
【０１２４】
要するに、例示という形態で本発明を開示してきたのであり、本明細書の記載内容を限定的に解釈するべきではない。本発明の要旨を判断するためには、特許請求の範囲を参酌すべきである。
【符号の説明】
【０１２５】
１１…表示装置
１２…通信部
１３…シャッター眼鏡
２０３…通信部
２０４…アンテナ
２０５…チューナー回路
２０６…ＭＰＥＧデコーダー
２０７…映像信号処理回路
２０８…グラフィック生成回路
２０９…パネル駆動部
２１０…表示パネル
２１１…音声信号処理回路
２１２…音声増幅回路
２１３…スピーカー
２１４…ＨＤＭＩ端子
２１５…ＨＤＭＩ受信回路
２１６…通信処理回路
２１７…ネットワーク端子
２１８…内部バス
２１９…ＣＰＵ
２２０…フラッシュＲＯＭ
２２１…ＤＲＡＭ
２２２…リモコン受信部
２２３…リモコン
３０５…通信部
３０６…制御部
３０７…シャッター駆動回路
３０８…左眼用シャッター
３０９…右眼用シャッター
３１０…自走クロック
【図５】
2012147121.tif 000003
【図６】
2012147121.tif 000004
【図７】
2012147121.tif 000005
【図８】
2012147121.tif 000006
【図９】
2012147121.tif 000007
【図１０】
2012147121.tif 000008
【図１１Ａ】
2012147121.tif 000009
【図１１Ｂ】
2012147121.tif 000010
【図１１Ｃ】
2012147121.tif 000011
【図１】
2012147121.tif 000012
【図２】
2012147121.tif 000013
【図３】
2012147121.tif 000014
【図４Ａ】
2012147121.tif 000015
【図４Ｂ】
2012147121.tif 000016